(57)【特許請求の範囲】
【請求項１】
第１表示領域と、
第２表示領域と、
前記第１表示領域に対する入力および前記第２表示領域に対する入力を検出する検出部と、
外部から受光した光により画像信号を生成する撮像部と、
画像入力領域を含む電子文書のテンプレートを記憶する記憶部と、
制御部とを備え、
前記制御部は、
前記画像信号に基づくプレビュー画像を前記第１表示領域に表示し、
前記記憶部から読み出された前記テンプレートを前記第２表示領域に表示し、
前記検出部により前記画像入力領域を選択する入力が検出されると、選択された前記画像入力領域に対応するトリミング枠を前記プレビュー画像上に表示し、
前記検出部により前記画像入力領域を選択する入力が検出されなくなると、前記プレビュー画像のうち前記トリミング枠内に含まれる画像を取得し、取得した画像を前記画像入力領域に合成した前記電子文書を生成する、
ことを特徴とする携帯端末装置。
【請求項２】
第１表示領域と、
第２表示領域と、
前記第１表示領域に対する入力および前記第２表示領域に対する入力を検出する検出部と、
外部から受光した光により画像信号を生成する撮像部と、
画像入力領域を含む電子文書のテンプレートを記憶する記憶部と、
制御部とを備え、
前記制御部は、
前記画像信号に基づくプレビュー画像を前記第１表示領域に表示し、
前記記憶部から読み出された前記テンプレートを前記第２表示領域に表示し、
前記検出部により、前記画像入力領域を選択する入力が検出された後、さらに前記入力の位置を前記第２表示領域から前記第１表示領域へ移動させる操作が検出されると、選択された前記画像入力領域に対応するトリミング枠を前記第１表示領域に対する前記入力の位置に表示し、
前記検出部により前記第１表示領域に対する前記入力が検出されなくなると、前記プレビュー画像のうち前記トリミング枠内に含まれる画像を取得し、取得した画像を前記画像入力領域に合成した前記電子文書を生成する、
ことを特徴とする携帯端末装置。
【請求項３】
請求項１または２に記載の携帯端末装置において、
前記制御部は、前記プレビュー画像を、前記第１表示領域と、前記第２表示領域に表示された前記テンプレートの前記画像入力領域とに表示する、
ことを特徴とする携帯端末装置。
【請求項４】
請求項１ないし３の何れか一項に記載の携帯端末装置において、
前記制御部は、
前記検出部により、前記第１表示領域に対する入力が検出されてから前記画像入力領域を選択する入力が検出されると、前記画像信号に基づく撮影画像を取得し、前記第１表示領域に対する前記入力の位置に対応する前記撮影画像の位置が前記画像入力領域の中心になり、かつ前記撮影画像のうち選択された前記画像入力領域内に収まる画像を抽出し、抽出した画像を前記画像入力領域に合成した前記電子文書を生成する、
ことを特徴とする携帯端末装置。
【請求項５】
第１表示領域と、第２表示領域と、前記第１表示領域に対する入力および前記第２表示領域に対する入力を検出する検出部と、外部から受光した光により画像信号を生成する撮像部と、画像入力領域を含む電子文書のテンプレートを記憶する記憶部とを備える携帯端末装置のコンピュータに、
前記画像信号に基づくプレビュー画像を前記第１表示領域に表示し、
前記記憶部から読み出された前記テンプレートを前記第２表示領域に表示し、
前記検出部により前記画像入力領域を選択する入力が検出されると、選択された前記画像入力領域に対応するトリミング枠を前記プレビュー画像上に表示し、
前記検出部により前記画像入力領域を選択する入力が検出されなくなると、前記プレビュー画像のうち前記トリミング枠内に含まれる画像を取得し、取得した画像を前記画像入力領域に合成した前記電子文書を生成する機能を実行させるプログラム。
【請求項６】
第１表示領域と、第２表示領域と、前記第１表示領域に対する入力および前記第２表示領域に対する入力を検出する検出部と、外部から受光した光により画像信号を生成する撮像部と、画像入力領域を含む電子文書のテンプレートを記憶する記憶部とを備える携帯端末装置の電子文書作成方法において、
前記画像信号に基づくプレビュー画像を前記第１表示領域に表示するステップと、
前記記憶部から読み出された前記テンプレートを前記第２表示領域に表示するステップと、
前記検出部により前記画像入力領域を選択する入力が検出されると、選択された前記画像入力領域に対応するトリミング枠を前記プレビュー画像上に表示するステップと、
前記検出部により前記画像入力領域を選択する入力が検出されなくなると、前記プレビュー画像のうち前記トリミング枠内に含まれる画像を取得し、取得した画像を前記画像入力領域に合成した前記電子文書を生成するステップと、
を含むことを特徴とする電子文書作成方法。
【請求項７】
第１表示領域と、第２表示領域と、前記第１表示領域に対する入力および前記第２表示領域に対する入力を検出する検出部と、外部から受光した光により画像信号を生成する撮像部と、画像入力領域を含む電子文書のテンプレートを記憶する記憶部とを備える携帯端末装置のコンピュータに、
前記画像信号に基づくプレビュー画像を前記第１表示領域に表示し、
前記記憶部から読み出された前記テンプレートを前記第２表示領域に表示し、
前記検出部により、前記画像入力領域を選択する入力が検出された後、さらに前記入力の位置を前記第２表示領域から前記第１表示領域へ移動させる操作が検出されると、選択された前記画像入力領域に対応するトリミング枠を前記第１表示領域に対する前記入力の位置に表示し、
前記検出部により前記第１表示領域に対する前記入力が検出されなくなると、前記プレビュー画像のうち前記トリミング枠内に含まれる画像を取得し、取得した画像を前記画像入力領域に合成した前記電子文書を生成する機能を実行させるプログラム。
【請求項８】
第１表示領域と、第２表示領域と、前記第１表示領域に対する入力および前記第２表示領域に対する入力を検出する検出部と、外部から受光した光により画像信号を生成する撮像部と、画像入力領域を含む電子文書のテンプレートを記憶する記憶部とを備える携帯端末装置の電子文書作成方法において、
前記画像信号に基づくプレビュー画像を前記第１表示領域に表示するステップと、
前記記憶部から読み出された前記テンプレートを前記第２表示領域に表示するステップと、
前記検出部により、前記画像入力領域を選択する入力が検出された後、さらに前記入力の位置を前記第２表示領域から前記第１表示領域へ移動させる操作が検出されると、選択された前記画像入力領域に対応するトリミング枠を前記第１表示領域に対する前記入力の位置に表示するステップと、
前記検出部により前記第１表示領域に対する前記入力が検出されなくなると、前記プレビュー画像のうち前記トリミング枠内に含まれる画像を取得し、取得した画像を前記画像入力領域に合成した前記電子文書を生成するステップと、
を含むことを特徴とする電子文書作成方法。
【発明の詳細な説明】
【技術分野】
【０００１】
本発明は、携帯電話機やＰＤＡ（Personal Digital Assistant）、タブレットＰＣ（TabletPC）、電子書籍端末、携帯ゲーム機等の携帯端末装置に関するものである。
【背景技術】
【０００２】
従来、２つの表示面を有する携帯端末装置が知られている。このような携帯端末装置では、一方の表示面にライブビュー画像が表示され、他方の表示面に撮影補助画像が表示され得る（たとえば、特許文献１参照）。
【０００３】
たとえば、ユーザが写真をウェブページや名刺などに使用したい場合、ユーザは、ライブビュー画像を見ながら、所望の被写体を撮影して、写真をメモリに保存する。また、ユーザは、ウェブページや名刺などのテンプレートを表示する。そして、ユーザは、写真をメモリから読み出して、写真をテンプレートに貼り付け、電子文書を作成し保存する。
【先行技術文献】
【特許文献】
【０００４】
【特許文献１】特開２００５−８６２８３号公報
【発明の概要】
【発明が解決しようとする課題】
【０００５】
このように、従来技術では、写真の撮影と電子文書の作成とが別々に行われる。このため、写真の保存および電子文書の保存など、重複した作業が必要となり、手間がかかる。
【０００６】
本発明は、かかる課題に鑑みてなされたものであり、撮影画像を用いた電子文書を簡単に作成することができる携帯端末装置を提供することを目的とする。
【課題を解決するための手段】
【０００７】
本発明の第１態様に係る携帯端末装置は、第１表示領域と、第２表示領域と、前記第１表示領域に対する入力および前記第２表示領域に対する入力を検出する検出部と、外部から受光した光により画像信号を生成する撮像部と、画像入力領域を含む電子文書のテンプレートを記憶する記憶部と、制御部とを備える。ここで、前記制御部は、前記画像信号に基づくプレビュー画像を前記第１表示領域に表示し、前記記憶部から読み出された前記テンプレートを前記第２表示領域に表示する。また、前記制御部は、前記検出部により前記画像入力領域を選択する入力が検出されると、選択された前記画像入力領域に対応するトリミング枠を前記プレビュー画像上に表示し、前記検出部により前記画像入力領域を選択する入力が検出されなくなると、前記プレビュー画像のうち前記トリミング枠内に含まれる画像を取得し、取得した画像を前記画像入力領域に合成した前記電子文書を生成する。
本発明の第２態様に係る携帯端末装置は、第１表示領域と、第２表示領域と、前記第１表示領域に対する入力および前記第２表示領域に対する入力を検出する検出部と、外部から受光した光により画像信号を生成する撮像部と、画像入力領域を含む電子文書のテンプレートを記憶する記憶部と、制御部とを備える。ここで、前記制御部は、前記画像信号に基づくプレビュー画像を前記第１表示領域に表示し、前記記憶部から読み出された前記テンプレートを前記第２表示領域に表示する。また、前記制御部は、前記検出部により、前記画像入力領域を選択する入力が検出された後、さらに前記入力の位置を前記第２表示領域から前記第１表示領域へ移動させる操作が検出されると、選択された前記画像入力領域に対応するトリミング枠を前記第１表示領域に対する前記入力の位置に表示し、前記検出部により前記第１表示領域に対する前記入力が検出されなくなると、前記プレビュー画像のうち前記トリミング枠内に含まれる画像を取得し、取得した画像を前記画像入力領域に合成した前記電子文書を生成する。
【０００８】
本発明に係る携帯端末装置において、前記制御部は、前記プレビュー画像を、前記第１表示領域と、前記第２表示領域に表示された前記テンプレートの前記画像入力領域とに表示するよう構成され得る。
【００１２】
本発明に係る携帯端末装置において、前記制御部は、前記検出部により、前記第１表示領域に対する入力が検出されてから前記画像入力領域を選択する入力が検出されると、前記画像信号に基づく撮影画像を取得するよう構成され得る。そして、前記制御部は、前記第１表示領域に対する前記入力の位置に対応する前記撮影画像の位置が前記画像入力領域の中心になり、かつ前記撮影画像のうち選択された前記画像入力領域内に収まる画像を抽出し、抽出した画像を前記画像入力領域に合成した前記電子文書を生成する。
本発明の第２の態様に係るプログラムは、第１表示領域と、第２表示領域と、前記第１表示領域に対する入力および前記第２表示領域に対する入力を検出する検出部と、外部から受光した光により画像信号を生成する撮像部と、画像入力領域を含む電子文書のテンプレートを記憶する記憶部とを備える携帯端末装置のコンピュータに、前記画像信号に基づくプレビュー画像を前記第１表示領域に表示し、前記記憶部から読み出された前記テンプレートを前記第２表示領域に表示し、前記検出部により前記画像入力領域を選択する入力が検出されると、選択された前記画像入力領域に対応するトリミング枠を前記プレビュー画像上に表示し、前記検出部により前記画像入力領域を選択する入力が検出されなくなると、前記プレビュー画像のうち前記トリミング枠内に含まれる画像を取得し、取得した画像を前記画像入力領域に合成した前記電子文書を生成する機能を実行させる。
本発明の第３の態様は、第１表示領域と、第２表示領域と、前記第１表示領域に対する入力および前記第２表示領域に対する入力を検出する検出部と、外部から受光した光により画像信号を生成する撮像部と、画像入力領域を含む電子文書のテンプレートを記憶する記憶部とを備える携帯端末装置の電子文書作成方法に関する。本態様に係る電子文書作成方法は、前記画像信号に基づくプレビュー画像を前記第１表示領域に表示するステップと、前記記憶部から読み出された前記テンプレートを前記第２表示領域に表示するステップと、前記検出部により前記画像入力領域を選択する入力が検出されると、選択された前記画像入力領域に対応するトリミング枠を前記プレビュー画像上に表示するステップと、前記検出部により前記画像入力領域を選択する入力が検出されなくなると、前記プレビュー画像のうち前記トリミング枠内に含まれる画像を取得し、取得した画像を前記画像入力領域に合成した前記電子文書を生成するステップと、を含む。
【００１３】
本発明の第５の態様に係るプログラムは、第１表示領域と、第２表示領域と、前記第１表示領域に対する入力および前記第２表示領域に対する入力を検出する検出部と、外部から受光した光により画像信号を生成する撮像部と、画像入力領域を含む電子文書のテンプレートを記憶する記憶部とを備える携帯端末装置のコンピュータに、前記画像信号に基づくプレビュー画像を前記第１表示領域に表示し、前記記憶部から読み出された前記テンプレートを前記第２表示領域に表示し、前記検出部により、前記画像入力領域を選択する入力が検出された後、さらに前記入力の位置を前記第２表示領域から前記第１表示領域へ移動させる操作が検出されると、選択された前記画像入力領域に対応するトリミング枠を前記第１表示領域に対する前記入力の位置に表示し、前記検出部により前記第１表示領域に対する前記入力が検出されなくなると、前記プレビュー画像のうち前記トリミング枠内に含まれる画像を取得し、取得した画像を前記画像入力領域に合成した前記電子文書を生成する機能を実行させる。
【００１４】
本発明の第６の態様は、第１表示領域と、第２表示領域と、前記第１表示領域に対する入力および前記第２表示領域に対する入力を検出する検出部と、外部から受光した光により画像信号を生成する撮像部と、画像入力領域を含む電子文書のテンプレートを記憶する記憶部とを備える携帯端末装置の電子文書作成方法に関する。本態様に係る電子文書作成方法は、前記画像信号に基づくプレビュー画像を前記第１表示領域に表示するステップと、前記記憶部から読み出された前記テンプレートを前記第２表示領域に表示するステップと、前記検出部により、前記画像入力領域を選択する入力が検出された後、さらに前記入力の位置を前記第２表示領域から前記第１表示領域へ移動させる操作が検出されると、選択された前記画像入力領域に対応するトリミング枠を前記第１表示領域に対する前記入力の位置に表示するステップと、前記検出部により前記第１表示領域に対する前記入力が検出されなくなると、前記プレビュー画像のうち前記トリミング枠内に含まれる画像を取得し、取得した画像を前記画像入力領域に合成した前記電子文書を生成するステップと、を含む。
【発明の効果】
【００１５】
本発明によれば、撮影画像を用いた電子文書を簡単に作成することができる携帯端末装置を提供することができる。
【００１６】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１７】
【図１】実施の形態に係る、閉状態および開状態の携帯電話機の外観構成および断面構成を示す図である。
【図２】実施の形態に係る、チルト状態の携帯電話機の外観構成を示す図である。
【図３】実施の形態に係る、携帯電話機の、閉状態から開状態へ変形される様子を説明する図である。
【図４】実施の形態に係る、携帯電話機の全体構成を説明するブロック図である。
【図５】実施例１に係る、名刺を作成する制御処理を示すフローチャートである。
【図６】実施例１に係る、テンプレートのメニューを第１表示面に表示した図である。
【図７】実施例１に係る、第１表示面にプレビュー画像を表示し、第２表示面に名刺のテンプレートを表示した図である。
【図８】実施例２に係る、名刺を作成する制御処理を示すフローチャートである。
【図９】実施例２に係る、第１表示面にプレビュー画像を表示し、第２表示面に名刺のテンプレートを表示した図である。
【図１０】実施例３に係る、第１表示面にプレビュー画像を表示し、第２表示面にアルバムのテンプレートを表示した図である。
【図１１】実施例３に係る、第１表示面にプレビュー画像を表示し、第２表示面にアルバムのテンプレートを表示した図である。
【図１２】実施例４に係る、第１表示面にプレビュー画像を表示し、第２表示面にアルバムのテンプレートを表示した図である。
【図１３】実施例４に係る、第１表示面にプレビュー画像を表示し、第２表示面にアルバムのテンプレートを表示した図である。
【図１４】実施例５に係る、第１表示面にプレビュー画像を表示し、第２表示面にアルバムのテンプレートを表示した図である。
【図１５】実施例５に係る、第１表示面にプレビュー画像を表示し、第２表示面にアルバムのテンプレートを表示した図である。
【発明を実施するための形態】
【００１８】
以下、本発明の実施の形態に係る携帯電話機について説明する。
【００１９】
＜携帯電話機の構成＞
図１（ａ）〜（ｄ）、図２（ａ）および（ｂ）は、本実施の形態に係る携帯電話機１の構成を示す図である。図１（ａ）は、閉状態の携帯電話機１の構成を示す斜視図、図１（ｂ）は、開状態の携帯電話機１の構成を示す斜視図である。図１（ｃ）は、図１（ａ）の携帯電話機１を右側から見たときの内部透視図、図１（ｄ）は、図１（ｂ）の携帯電話機１を右側から見たときの内部透視図である。図２（ａ）は、チルト状態の携帯電話機１を、第１キャビネット１０の手前側から見た斜視図、図２（ｂ）は、チルト状態の携帯電話機１を、第１キャビネット１０の奥側から見た斜視図である。
【００２０】
図１を参照して、携帯電話機１は、第１キャビネット１０と、第２キャビネット２０と、これら第１および第２キャビネット１０、２０を連結する連結部３０とで構成されている。
【００２１】
以下、携帯電話機１に対する「右」、「左」、「上」、「下」、「手前」および「奥」の方向は、図１（ａ）および（ｂ）に示すように設定される。Ｘ軸、Ｙ軸およびＺ軸の正方向は、それぞれ、上、左および手前方向に対応する。第１および第２キャビネット１０、２０の「前面」は、それぞれ第１および第２キャビネット１０、２０の手前側の面である。第１および第２キャビネット１０、２０の「背面」は、それぞれ第１および第２キャビネット１０、２０の奥側の面である。
【００２２】
なお、閉状態は、第１キャビネット１０が、第２キャビネット２０の前面に重ねられて配された状態である。開状態は、第１キャビネット１０が、第２キャビネット２０の上側
に並べられた状態である。
【００２３】
第１キャビネット１０は、左右方向に長い平坦な直方体形状を有する。第１キャビネット１０の前面には、第１タッチパネル１１が配されている。第１タッチパネル１１は、第１ディスプレイ１２および第１タッチセンサ１３を含む。
【００２４】
第１ディスプレイ１２は、液晶ディスプレイであり、液晶パネルおよびバックライトを備える。液晶パネルの背面側にバックライトが配され。液晶パネルの前面側に第１タッチセンサ１３が配される。
【００２５】
第１タッチセンサ１３は、長方形状の透明なシートであり、第１ディスプレイ１２の上に重ねられて配されている。第１タッチパネル１１の外面である第１表示面１４がユーザによりタッチされることにより、第１表示面１４に対する位置が入力され、第１タッチセンサ１３は第１表示面１４にタッチされた位置を入力位置として検出する。第１タッチセンサ１３は、検出した入力位置に応じた位置信号を出力する。
【００２６】
第１キャビネット１０の、背面部の左側には、動画および静止画の撮像のためのレンズ窓１５（図２（ｂ）参照）が配される。
【００２７】
第１キャビネット１０の前面には、キー群１６が配される。キー群１６は、ホーム画面を第１表示面１４に表示させるためのホームキー１６Ｈ、アプリケーションの実行の際に第１表示面１４に表示される画面をひとつ戻すためのバックキー１６Ｂ、アプリケーションの起動のためのアイコンを含むアプリケーション起動画面（ランチャ画面）を第１表示面１４に表示させるためのランチャキー１６Ｒ等を含む。
【００２８】
ホームキー１６Ｈ、バックキー１６Ｂおよびランチャキー１６Ｒは、タッチキーである。指等により、ホームキー１６Ｈ、バックキー１６Ｂおよびランチャキー１６Ｒのいずれかがタッチされると、キー入力回路（後述）が備えるタッチセンサ（図示せず）がこのタッチの操作を検出し、タッチされたキーに応じた信号を出力する。
【００２９】
第２キャビネット２０は、左右方向に長い平坦な直方体形状を有する。第２キャビネット２０の前面には、第２タッチパネル２１が配されている。第２タッチパネル２１は、第２ディスプレイ２２および第２タッチセンサ２３を含む。
【００３０】
第２ディスプレイ２２は、液晶ディスプレイであり、液晶パネルおよびバックライトを備える。液晶パネルの前面が第２表示面２４となり、液晶パネルの背面側にバックライトが配される。
【００３１】
第２タッチセンサ２３は、長方形状の透明なシートであり、第２ディスプレイ２２の上に重ねられて配されている。第２タッチパネル２１の外面である第２表示面２４がユーザによりタッチされることにより、第２表示面２４に対する位置が入力され、第２タッチセンサ２３は第２表示面２４にタッチされた位置を入力位置として検出する。第２タッチセンサ２３は、検出した入力位置に応じた位置信号を出力する。
【００３２】
なお、ユーザが各表示面１４、２４を「タッチ」するとは、ユーザが指やペンなどの接触部材によって各表示面１４、２４に触れることである。ユーザが接触部材によって各表示面１４、２４を押したり、撫でたり、各表示面１４、２４に図形や文字を描いたりする場合に「タッチ」が行われる。「タップ」するとは、ユーザが接触部材や指を各表示面１４、２４にタッチさせた後、短時間のうちにリリースさせる動作を言う。ユーザが各表示面１４、２４を「スライド」するとは、ユーザが接触部材や指を、各表示面１４、２４に
接触したまま移動させる動作を言う。
【００３３】
第２キャビネット２０の前面および側面には、キー群２６が配される。キー群２６は、ホーム画面を第２表示面２４に表示させるためのホームキー２６Ｈ、アプリケーションの実行の際に第２表示面２４に表示される画面をひとつ戻すためのバックキー２６Ｂ、アプリケーション起動画面を第２表示面２４に表示させるためのランチャキー２６Ｒ等を含む。ホームキー２６Ｈ、バックキー２６Ｂおよびランチャキー２６Ｒは、タッチキーである。指等により、ホームキー２６Ｈ、バックキー２６Ｂおよびランチャキー２６Ｒのいずれかがタッチされると、キー入力回路（図４参照）が備えるタッチセンサ（図示せず）がこのタッチの操作を検出し、タッチされたキーに応じた位置信号を出力する。
【００３４】
キー群２６は、第２キャビネット２０の下側側面部に配された機能キー２６Ｆ１、２６Ｆ２、２６Ｆ３をさらに含む。機能キー２６Ｆ１、２６Ｆ２、２６Ｆ３は、所定アプリケーションの起動、またはアプリケーションの実行時における音量調節その他の各種の機能のためのキーである。機能キー２６Ｆ１、２６Ｆ２、２６Ｆ３が押下されると、キー入力回路（図４参照）がこの押下を検出し、押下されたキーに応じた信号を出力する。
【００３５】
図１（ｃ）を参照して、閉状態において、第１および第２表示面１４、２４のうち第１表示面１４が外部を臨む。第２表示面２４は、第１キャビネット１０の背後に配され、外部を臨まない。図１（ｄ）を参照して、開状態において、第１および第２表示面１４、２４は、携帯電話機１の前面側から外部を臨む。
【００３６】
なお、開状態において、第１表示面１４の下側の境界は、第１キャビネット１０の下側側面に近い位置（数ミリメートル）に位置する。同様に、第２表示面２４の上側の境界は、第２キャビネット２０の上側側面に近い位置（数ミリメートル）に位置する。このように、開状態において、第１表示面１４と第２表示面２４との間の隙間は小さいため、ユーザは、第１表示面１４と第２表示面２４とを、一体化された一つの表示面として、認識できる。
【００３７】
図２（ａ）および（ｂ）に示されるチルト状態において、第１キャビネット１０が、第２キャビネット２０の上側に並べられて配される。チルト状態での第１および第２キャビネット１０、２０の各前面は、図２（ａ）および（ｂ）に示される如く、所定の鈍角（たとえば百数十度）を有するよう配されている。
【００３８】
連結部３０は、中央フレーム３１、第１右フレーム３２、第１左フレーム３３、第２右フレーム３４および第２左フレーム３５を有する。中央フレーム３１は、左右に延びる形状を有する。中央フレーム３１の右端は、第１右フレーム３２の一端および第２右フレーム３４の一端に接続する。中央フレーム３１の左端は、第１左フレーム３３の一端および第２左フレーム３５の一端に接続する。
【００３９】
第１右フレーム３２および第１左フレーム３３の他端には、それぞれ左右方向に延びる軸（図示せず）が配される。この軸が、第１キャビネット１０の左右の側面部に配された溝部１７により挟まれる。なお、図２（ｂ）において、左側側面部の溝部１７のみが描かれる。これらの軸が、溝部１７に沿ってスライド移動可能に第１キャビネット１０に保持されることにより、第１キャビネット１０が、軸を中心に回転可能、且つ溝部１７に沿って上下方向にスライド可能に、第１右フレーム３２および第１左フレーム３３により保持される。
【００４０】
第２右フレーム３４および第２左フレーム３５は、第２キャビネット２０を、左右方向を軸として回転可能に保持する。
【００４１】
連結部３０は、図３（ａ）〜（ｆ）を用いて以下に説明するように、チルト状態を介して開状態と閉状態とを切り替え可能に、第１および第２キャビネット１０、２０を保持する。ユーザは、手動で、携帯電話機１の使用状態を遷移させることができる。
【００４２】
図３（ａ）〜（ｆ）は、携帯電話機１の画面状態が閉状態（図３（ａ））から、チルト状態（図３（ｄ））を介して開状態（図３（ｆ））へ遷移される過程を、携帯電話機１の右側から見て説明する図である。
【００４３】
携帯電話機１が図３（ａ）のように閉状態にあるとき、第１キャビネット１０が手前方向（図３（ａ）の破線矢印）へ移動されると、図３（ｂ）に示す如く、第１キャビネット１０の背面が、第２キャビネット２０の前面から離れる。このとき、第１キャビネット１０の移動に応じて、連結部３０は、時計回りの方向へ回転（実線矢印）される。
【００４４】
図３（ｂ）に示される状態において、第１キャビネット１０がさらに手前方向へ移動され、且つ第１表示面１４が下側を向くように回転されると（破線矢印）、携帯電話機１の状態は、図３（ｃ）の配置状態を介して、図３（ｄ）のチルト状態に至る。チルト状態において、第１キャビネット１０の背面の下側は、連結部３０に当接する。
【００４５】
第１キャビネット１０の背面の下側が連結部３０に当接した状態が保たれたまま、連結部３０がさらに時計回りの方向（図３（ｄ）の破線矢印）へ回転されると、携帯電話機１は、図３（ｅ）に示される、第１表示面１４と第２表示面２４とが略一面状態になる状態に至る。
【００４６】
図３（ｅ）において、第１キャビネット１０および第２キャビネット２０との間には、間隙（数ミリメートル）が存在する。第１キャビネット１０を、第２キャビネット２０に対して下方向（一点鎖線矢印）へスライドさせると、図３（ｆ）のように、携帯電話機１は開状態へと至る。このとき、第１キャビネット１０の下側側面と、第２キャビネット２０の上側側面とが、互いに接した状態となる。
【００４７】
なお、携帯電話機１が図３（ｄ）で示されるチルト状態にあるとき、すなわち第１右フレーム３２および第１左フレーム３３と第２キャビネット２０とが所定の鈍角をなす状態にあるとき、連結部３０は、連結部３０の回転を弱く係止するための構造を有する。回転が弱く係止されるため、ユーザは、チルト状態を保ったまま携帯電話機１を使用することが可能であり、且つ、使用状態をチルト状態から開状態または閉状態へ、容易に変化させることができる。
【００４８】
図４は、携帯電話機１の全体構成を示すブロック図である。本実施の形態の携帯電話機１は、上述した各構成要素の他、ＣＰＵ３００、メモリ３１０、カメラモジュール３０１、マイク３０２、音声エンコーダ３０３、キー入力回路３０４、通信モジュール３０５、第１駆動回路３０６、第２駆動回路３０７、音声デコーダ３０８、スピーカ３０９および開閉センサ３２０を備えている。
【００４９】
カメラモジュール３０１は、第１キャビネット１０に配されている。カメラモジュール３０１は、ＣＣＤなどの撮像素子、およびＡ／Ｄ変換器を有し、外部の撮像領域から受光した光により画像信号を生成する。レンズ窓１５を通った光は、撮像素子上で結像し、撮像素子で電気信号に変換される。撮像素子から出力された電気信号は、Ａ／Ｄ変換器でアナログ信号出力からデジタル信号に変換され、デジタル信号（以下、「画像信号」と言う。）がＣＰＵ３００へ出力される。
【００５０】
マイク３０２は、第１キャビネット１０に配される。マイク３０２は、集音した音声を音声信号に変換して音声エンコーダ３０３へ出力する。音声エンコーダ３０３は、マイク３０２からのアナログの音声信号をデジタルの音声信号に変換し、変換されたデジタルの音声信号をＣＰＵ３００へ出力する。
【００５１】
キー入力回路３０４は、キー群１６、２６の各キーが押下されたときに、押下されたキーに応じた信号をＣＰＵ３００へ出力する。
【００５２】
通信モジュール３０５は、通話や通信のための電波を送受信するアンテナ（図示せず）を備える。通信モジュール３０５は、ＣＰＵ３００から入力される信号を無線信号に変換し、変換された無線信号を、アンテナを介して、基地局や他の通信装置等の通信先へ送信する。また、通信モジュール３０５は、アンテナを介して受信した無線信号をＣＰＵ３００が利用できる形式の信号へ変換し、変換された信号をＣＰＵ３００へ出力する。
【００５３】
第１駆動回路３０６は、ＣＰＵ３００からの制御信号に応じて、第１ディスプレイ１２の液晶パネルおよびバックライトを駆動する。これにより、液晶パネルが画像を描画し、バックライトが点灯して、画像が第１表示面１４に映し出される。
【００５４】
第２駆動回路３０７は、ＣＰＵ３００からの制御信号に応じて、第２ディスプレイ２２の液晶パネルおよびバックライトを駆動する。これにより、液晶パネルが画像を描画し、バックライトが点灯して、画像が第２表示面２４に映し出される。
【００５５】
音声デコーダ３０８は、ＣＰＵ３００からの音信号にデコード処理およびＤ／Ａ変換を施し、変換された信号をスピーカ３０９に出力する。スピーカ３０９は、音声デコーダ３０８から入力する信号に基づき、音を出力する。
【００５６】
開閉センサ３２０は、画面状態を検出し、画面状態に応じたデジタル信号をＣＰＵ３００へ出力する。開閉センサ３２０は、１画面状態（閉状態）と２画面状態（開状態、チルト状態）とにおける連結部３０の第２キャビネット２０に対する角度の変化を検出するための磁気センサ（図示せず）を内蔵する。磁気センサは、第２キャビネット２０と連結部３０とを接続する軸部の回転を検出するよう配されている。ＣＰＵ３００は、開閉センサ３２０からの信号に基づき、現在の画面状態が１画面状態と２画面状態の何れであるかを検出する処理を実行する。
【００５７】
なお、開閉センサ３２０は、磁気センサのかわりに、上記軸部の回転の角度を検出する角度センサを備えてもよい。
【００５８】
メモリ３１０はＲＯＭおよびＲＡＭを含み、ＲＡＭは第１ＶＲＡＭ３１１および第２ＶＲＡＭ３１２を含む。
【００５９】
メモリ３１０には、ＣＰＵ３００に制御機能を付与するための制御プログラム、各種アプリケーション、第１および第２タッチセンサ１３、２３により入力された情報、電子文書のテンプレート等が保存されている。
【００６０】
電子文書のテンプレートは、電子文書の雛形であって、画像入力領域を含む。電子文書には、たとえば、ブログなどのウェブページ、プロフィール、名刺、レシピなどが挙げられる。電子文書は、所定のデータであってもよいし、ユーザが作成したデータであってもよい。画像入力領域は、カメラモジュール３０１で撮影された画像（以下、「撮影画像」）が貼り付けられる範囲である。この画像入力領域に撮影画像が取り込まれることにより、電子文書が作成される。なお、テンプレートは、文字入力領域を含んでもいてもよい。
文字入力領域には、文字が予め入力されていてもよいし、任意のタイミングでユーザにより文字が入力されてもよい。
【００６１】
ＣＰＵ３００は、制御プログラムに従って、カメラモジュール３０１、マイク３０２、通信モジュール３０５、第１および第２ディスプレイ１２、２２、スピーカ３０９等を制御する。このＣＰＵ３００からの制御信号に基づいて、通話、カメラ、電子メール、ウェブブラウザ、地図、音楽プレーヤおよび電子文書作成などの各種機能を実現するアプリケーションが実行される。
【００６２】
ＣＰＵ３００は、カメラモジュール３０１の画像信号に基づくプレビュー画像を第１ディスプレイ１２に表示するとともに、メモリ３１０から読み出されたテンプレートを第２ディスプレイ２２に表示する。また、キー群１６、２６や各タッチセンサ１３、２３などの検出部により撮影操作が検出されると、ＣＰＵ３００は、カメラモジュール３０１の画像信号に基づく撮影画像を取得し、撮影画像をテンプレートの画像入力領域に合成して、電子文書を生成する。
【００６３】
＜実施例１＞
図５は、名刺を作成するためのＣＰＵ３００における制御処理を示すフローチャートである。図６は、テンプレートのメニュー画面を示す図である。図７（ａ）および図７（ｂ）は、名刺の作成を説明する図である。
【００６４】
たとえば、アイコンが並ぶ操作メニュー画面（図示せず）が各表示面１４、２４に表示されている。操作メニュー画面において電子文書作成機能のアイコンがユーザの指によりタッチされると、電子文書作成機能のアプリケーションが実行される(Ｓ１０１：ＹＥＳ)。
【００６５】
次に、ＣＰＵ３００は、携帯電話機１の画面状態が２画面状態であるか否かを開閉センサ３２０からの信号に基づき判断する(Ｓ１０２)。
【００６６】
画面状態が１画面状態であれば(Ｓ１０２：ＮＯ)、プレビュー画像１０３およびテンプレートが第１および第２表示面１４、２４に同時に表示されない。このため、１画面状態から２画面状態へ遷移するようにユーザに促すメッセージが第１表示面１４に表示される(Ｓ１０３)。
【００６７】
画面状態が２画面状態であれば(Ｓ１０２：ＹＥＳ)、図６に示すように、テンプレートのメニュー画面が第２表示面２４に表示される(Ｓ１０４)。テンプレートのメニュー画面では、テンプレートの内容を表わすアイコンが表示される。
【００６８】
テンプレートのメニュー画面において、たとえば、名刺のアイコンがユーザの指でタッチされると、名刺のテンプレートが選択される(Ｓ１０５：ＹＥＳ)。これにより、ＣＰＵ３００がテンプレートのデータをメモリ３１０から読み出して第２ＶＲＡＭ３１２に格納すると、図７（ａ）に示すように、名刺のテンプレート２０５が第２表示面２４に表示される(Ｓ１０６)。このテンプレートでは、会社名、部門、氏名、連絡先などの文字入力領域に予め文字が入力されているが、画像入力領域２１０には何も表示されていない。
【００６９】
次に、ＣＰＵ３００は、カメラモジュール３０１からの画像信号に画素補間処理や色変換処理などの各種画像処理を施して、画像データを第１ＶＲＡＭ３１１に順次格納する。１フレームを構成する画像データ（以下、「フレーム画像データ」と言う。）が第１ＶＲＡＭ３１１に蓄積される度に、フレーム画像データに基づく制御信号が第１ディスプレイ１２のドライバ回路へ出力される。これにより、図７（ａ）に示すように、フレーム画像
データに基づく静止画像（以下、「プレビュー画像」と言う。）が第１表示面１４に表示される(Ｓ１０７)。プレビュー画像１０３は連続して表示されるため、撮像素子でとらえられた像がリアルタイムに第１表示面１４に表示され、第１表示面１４はファインダーとして利用される。
【００７０】
なお、フレーム画像データは、このフレーム画像データに基づくプレビュー画像１０３が第１表示面１４に表示されている間、第１ＶＲＡＭ３１１に保持される。このため、たとえば、第ｎフレーム画像データが第１ＶＲＡＭ３１１に保持され、第ｎフレーム画像データに基づく第ｎプレビュー画像１０３が第１表示面１４に表示されている。この状態で後述するシャッターボタン１０２が操作されると、第ｎフレーム画像データが第１ＶＲＡＭ３１１から読み出されてメモリ３１０に保存される。これにより、撮影操作時に第１表示面１４に表示されている第ｎプレビュー画像１０３が撮影画像として記録される。
【００７１】
ＣＰＵ３００は、名刺のテンプレート２０５から画像入力領域２１０を抽出し、画像入力領域２１０のサイズおよび位置を求め、画像入力領域２１０のサイズに応じたトリミング枠１０１を第１表示面１４に表示する(Ｓ１０８)。トリミング枠１０１のサイズの縦横比率は画像入力領域２１０のサイズの縦横比率と同じであるが、トリミング枠１０１のサイズは画像入力領域２１０のサイズと異なっていてもよい。たとえば、トリミング枠１０１が画像入力領域２１０より大きく設定されると、後述する第１表示面１４に表示されるプレビュー画像１０３における被写体のサイズが大きく表示されるため、ユーザは被写体を詳細に見ることができる。
【００７２】
ＣＰＵ３００は、プレビュー画像１０３上にトリミング枠１０１およびシャッターボタン１０２を表示する。このとき、トリミング枠１０１の中心が第１表示面１４の中心に配置されるように、第１表示面１４に対するトリミング枠１０１の位置が決められるプレビュー画像１０３の中でトリミング枠１０１内に収まる画像がテンプレート２０５の画像入力領域２１０に用いられる。このため、ユーザは、携帯電話機１を移動させて、トリミング枠１０１を基準として被写体のサイズや位置などを調整する。たとえば、ユーザがトリミング枠１０１に対して所望の被写体を右側に移動させたければ、ユーザは携帯電話機１のレンズ窓１５を左側に向ける。また、ユーザがトリミング枠１０１のサイズに対して被写体のサイズを大きくしたければ、ユーザはレンズ窓１５を被写体に近づける。なお、携帯電話機１がズーム機能を有している場合、ユーザは、ズーム機能を使用して、第１表示面１４に表示される被写体のサイズを大きくすることもできる。
【００７３】
トリミング枠１０１の中に被写体が納まり、シャッターボタン１０２がタッチされると、ＣＰＵ３００は、撮影操作がなされたと判断する(Ｓ１０９：ＹＥＳ)。ＣＰＵ３００は、第１表示面１４におけるトリミング枠１０１の位置および大きさに基づいて、第１ＶＲＡＭ３１１に蓄積されているフレーム画像データの中から、トリミング枠１０１内の撮影画像２０４の画像データを抽出する。抽出された撮影画像２０４は、画像入力領域２１０のサイズに合わせて縮小され、画像入力領域２１０の位置に割り当てられるように、撮影画像２０４の画像データとテンプレート２０５のデータとが合成される。合成データが第２ＶＲＡＭ３１２に格納された後、合成データに従った制御信号が第２ディスプレイ２２のドライバ回路へ出力される。図７（ｂ）に示すように、合成データに基づき撮影画像２０４が画像入力領域２１０に貼り付けられた名刺２０１が第２表示面２４に表示される(
Ｓ１１０)。また、合成データが第２ＶＲＡＭ３１２からメモリ３１０に取り込まれて保
存され、撮影画像２０４が画像入力領域２１０に貼り付けられた電子文書２０１が作成される(Ｓ１１１)。
【００７４】
以上、本実施例によれば、ユーザがシャッターボタン１０２をタッチすると、プレビュー画像１０３の中からトリミング枠１０１内の撮影画像２０４が抽出され、撮影画像２０
４がテンプレート２０５の画像入力領域２１０に転写され、電子文書２０１が生成される。このため、ユーザは、一旦撮影画像２０４を撮影してメモリ３１０に保存した上で、メモリ３１０から撮影画像２０４を読み出してテンプレート２０５に貼り付ける作業を行う必要がない。しかも、プレビュー画像１０３からトリミング枠１０１内の必要な部分が取り出されるため、撮影画像２０４のサイズを調整する作業も必要ない。よって、ユーザは、撮影操作をするだけで、電子文書２０１を簡単に作成することができる。
【００７５】
また、本実施例によれば、プレビュー画像１０３およびテンプレート２０５が並行して表示されるため、ユーザは、テンプレート２０５における文書の内容、大きさ、配置などとのバランスを考慮し、トリミング枠１０１に対する被写体の大きさや配置などを決めることができる。これにより、ユーザは、電子文書２０１に適した撮影画像２０４を取得することができる。
【００７６】
さらに、本実施例によれば、プレビュー画像１０３上のトリミング枠１０１を基準として、被写体の配置および大きさなどを調整することができ、電子文書２０１に適した構図の撮影画像２０４が取得され得る。
【００７７】
＜実施例２＞
上記実施例１では、第１表示面１４にプレビュー画像１０３が表示されたが、第２表示面２４に表示されているテンプレートの画像入力領域２１０にはプレビュー画像１０３は表示されなかった。これに対し、実施例２では、第１表示面１４に加えて、第２表示面２４におけるテンプレートの画像入力領域２１０にもプレビュー画像２０３が表示される。
【００７８】
このため、ＣＰＵ３００はプレビュー画像を、第１ディスプレイ１２と、前記第２ディスプレイ２２に表示されたテンプレートの画像入力領域２１０とに表示する。
【００７９】
図８は、名刺を作成するためのＣＰＵ３００における制御処理を示すフローチャートである。図９（ａ）および図９（ｂ）は、名刺の作成を説明する図である。なお、図８におけるＳ２０１〜Ｓ２０６の処理は、図５におけるＳ１０１〜Ｓ１０６の処理と同様であるため、説明は省略する。
【００８０】
ＣＰＵ３００は、カメラモジュール３０１からの画像信号に各種画像処理を施し、画像データを第１ＶＲＡＭ３１１に順次格納する。
【００８１】
また、フレーム画像データが第１ＶＲＡＭ３１１に蓄積されている間または蓄積された後、ＣＰＵ３００は、第１表示面１４に対するトリミング枠１０１の位置および大きさに基づいて、トリミング枠１０１内の画像データを第１ＶＲＡＭ３１１から抽出する。抽出された画像データとテンプレートのデータとが合成され、合成データが第２ＶＲＡＭ３１２に格納される。
【００８２】
合成データが第２ＶＲＡＭ３１２に蓄えられると、第１ＶＲＡＭ３１１のフレーム画像データに基づく制御信号が第１ディスプレイ１２のドライバ回路へ出力されると同時に、第２ＶＲＡＭ３１２の合成データに基づく制御信号が第２ディスプレイ２２のドライバ回路へ出力される。これにより、図９（ａ）に示すように、第１表示面１４にプレビュー画像１０３およびトリミング枠１０１が表示されると共に(Ｓ２０７)、第２表示面２４の画像入力領域２１０にトリミング枠内のプレビュー画像２０３が表示される(Ｓ２０８)。
【００８３】
そして、第１表示面１４のプレビュー画像１０３上には、トリミング枠１０１とともにシャッターボタン１０２が表示される。トリミング枠１０１が画像入力領域２１０より拡大されている場合、第１表示面１４のプレビュー画像１０３が第２表示面２４のプレビュ
ー画像２０３より大きく表示される。このため、ユーザは、第１表示面１４のプレビュー画像１０３を見ながら、ピントや被写体の表情などを詳細に確認することができる。また、第２表示面２４には、画像入力領域２１０にプレビュー画像２０３が表示されているため、ユーザは、テンプレート２０５の全体を見て、画像の構図を検討することができる。
【００８４】
画像の構図が決定され、シャッターボタン１０２がタッチされると、ＣＰＵ３００は、撮影操作がなされたと判断する(Ｓ２０９：ＹＥＳ)。撮影操作時に第２表示面２４に表示されている画像のデータが第２ＶＲＡＭ３１２からメモリ３１０に取り込まれて保存される。これにより、撮影画像２０４が画像入力領域２１０に貼り付けられた名刺２０１が作成される(Ｓ２１１)。
【００８５】
以上、本実施例によればプレビュー画像１０３、２０３が第１表示面１４およびテンプレート２０５上に表示される。このため、ユーザは、プレビュー画像１０３、２０３の被写体を確認しながら、撮影することができる。特に、トリミング枠１０１が画像入力領域２１０より拡大されている場合、ユーザは、第１表示面１４のプレビュー画像１０３に基づいて被写体を細かく確認し、所望の撮影画像２０４を取得することができる。また、ユーザは、テンプレート２０５上のプレビュー画像２０３に基づいて、文字やレイアウトなどを含むテンプレート２０５全体のとのバランスを調整し、名刺２０１などの電子文書の仕上がりを考慮して、撮影画像２０４を取得することができる。
【００８６】
＜実施例３＞
上記実施例１および２では、シャッターボタン１０２が第１表示面１４のプレビュー画像１０３上に表示され、シャッターボタン１０２により撮影操作がなされていた。これに対し、実施例３では、第１表示面１４および第２表示面２４に対する操作により、撮影操作がなされる。
【００８７】
このため、第２タッチセンサ１３により画像入力領域２１０を選択する入力が検出されると、ＣＰＵ３００は、選択された画像入力領域２１０に対応するトリミング枠１０１をプレビュー画像１０３上に表示する。そして、第２タッチセンサ１３により画像入力領域２１０を選択する入力が検出されなくなると、ＣＰＵ３００は、プレビュー画像１０３のうちトリミング枠１０１内に含まれる画像を撮影画像２０４として取得する。これにより、撮影画像２０４が画像入力領域２１０に合成された電子文書２０２が生成される。
【００８８】
図１０（ａ）〜図１１（ｂ）は、アルバムの作成を説明するための図である。図１０（ａ）〜図１１（ｂ）には、第１表示面１４にプレビュー画像１０３が表示され、第２表示面２４にアルバムのテンプレート２０６が表示されている。
【００８９】
図１０（ａ）に示すように、カメラモジュール３０１で取り込まれたプレビュー画像１０３が第１表示面１４に表示されている。また、アルバムのテンプレート２０６が、メモリ３１０から読み出されて、第２表示面２４に表示されている。たとえば、アルバムのテンプレート２０６には、複数の画像入力領域２１０、この実施例では、５つの第１〜第５画像入力領域２１１〜２１５が設けられている。これらの第１〜第５画画像入力領域２１１〜２１５の形や大きさはさまざまである。
【００９０】
図１０（ｂ）に示すように、テンプレート２０６において第３画像入力領域２１３がユーザの指によりタッチされ、第３画像入力領域２１３が選択される。第３画像入力領域２１３のサイズが求められ、第３画像入力領域２１３のサイズに応じたサイズのトリミング枠１０１が設定される。ここでは、トリミング枠１０１の縦横比率は画像入力領域２１０の縦横比率と等しく、かつトリミング枠１０１のサイズは第３画像入力領域２１３と同じサイズに設定される。
【００９１】
また、トリミング枠１０１の中心が第１表示面１４の中心と一致するように、トリミング枠１０１の位置が設定される。このトリミング枠１０１のサイズおよび位置に応じて、トリミング枠１０１が第１表示面１４に表示される。このとき、トリミング枠１０１内の範囲にプレビュー画像１０３が表示され、トリミング枠１０１の周りは黒くなるように画像処理される。これによりプレビュー画像１０３の中で、第３画像入力領域２１３に納まる範囲の画像を明確に把握することができる。
【００９２】
第３画像入力領域２１３からユーザの指がリリースされると、ＣＰＵ３００は、撮影操作がなされたと判断する（図５のステップＳ１０９）。これにより、第１表示面１４に対するトリミング枠１０１の位置およびサイズに基づいて、第１ＶＲＡＭ３１１に蓄積された画像データの中からトリミング枠１０１内の画像データが抽出され、撮影画像２０４が取得される。抽出された画像データがテンプレート２０６のデータと合成され、合成されたデータが第２ＶＲＡＭ３１２に蓄積される。これにより、図１１（ａ）に示すように、抽出された画像データに基づく撮影画像２０４が第３画像入力領域２１３に表示される。
【００９３】
ここでは、テンプレート２０６の全ての画像入力領域２１０に撮影画像２０４が合成されていないが、第３画像入力領域２１３に撮影画像２０４を貼り付けたアルバム２０２として電子文書が作成され、メモリ３１０に保存される。
【００９４】
また、ユーザの指が第３画像入力領域２１３からリリースされることにより、第１表示面１４に表示されていたトリミング枠１０１が消え、第１表示面１４の全体にプレビュー画像１０３が表示される。
【００９５】
次に、図１１（ｂ）に示すように、ユーザが第５画像入力領域２１５を指でタッチすると、第５画像入力領域２１５に応じたトリミング枠１０１が第１表示面１４に表示される。第５画像入力領域２１５からタッチした指がリリースされると、トリミング枠１０１内の撮影画像２０４が抽出され、撮影画像２０４が第５画像入力領域２１５に貼り付けられる。そして、第３および第５画像入力領域２１３、２１５のそれぞれに撮影画像２０４が貼り付けられたアルバム２０２が作成され、このアルバム２０２のデータが先に保存された電子文書のデータに上書きされる。
【００９６】
なお、たとえば、ユーザは、第５画像入力領域２１５に指をタッチし、リリースせずに指をスライドさせて、第１画像入力領域２１１に指を移動させる。これにより、第５画像入力領域２１５に対応した撮影画像２０４が取得される。また、第１表示面１４に表示されていた第５画像入力領域２１５に対応したトリミング枠１０１に代えて第１画像入力領域２１１に対応するトリミング枠１０１が表示される。
【００９７】
以上、本実施例によれば、ユーザは撮影操作を行うだけで電子文書を簡単に作成することができる。特に、テンプレート２０６に複数の画像入力領域２１０が存在する場合、ユーザは画像入力領域２１０をタッチおよびリリースするだけで、画像を入力する画像入力領域２１０を選択し、かつ選択した画像入力領域２１０に撮影画像２０４を納めることができ、簡便である。
【００９８】
また、本実施例によれば、ユーザが画像入力領域２１０をタッチすると、タッチした画像入力領域２１０に合わせたトリミング枠１０１が表示される。このため、ユーザは、被写体とトリミング枠１０１とのバランスを考えて、撮影画像２０４を貼り付ける画像入力領域２１０を選択することができる。
【００９９】
さらに、本実施例によれば、複数の画像入力領域２１０のサイズがそれぞれ異なる場合
、ユーザが選択する画像入力領域２１０を変えると、トリミング枠１０１のサイズが変化する。これにより、被写体とトリミング枠１０１とのサイズのバランスを簡単に調整することができる。
【０１００】
＜実施例４＞
実施例３では、第２表示面２４の画像入力領域２１０がタッチされることにより、撮影操作がなされた。これに対し、実施例４では、第１表示面１４にタッチした指が第２表示面２４の画像入力領域２１０までスライドされると、撮影操作がなされる。
【０１０１】
このため、第２タッチセンサ２３により画像入力領域２１０を選択する入力が検出されてから、各タッチセンサ１３、２３により入力の位置を第２表示面２４から第１表示面１４へ移動させる操作が検出されると、ＣＰＵ３００は、選択された画像入力領域２１０に対応するトリミング枠１０１を第１表示面１４における入力の位置に表示する。また、第１タッチセンサ１３により第１表示面１４に対する入力が検出されなくなると、ＣＰＵ３００はプレビュー画像１０３のうちトリミング枠内１０１に含まれる画像を撮影画像２０４として取得する。これにより、撮影画像２０４が画像入力領域２１０に合成された電子文書２０２が生成される。
【０１０２】
図１２（ａ）〜図１３（ｂ）は、アルバム２０２の作成を説明するための図である。図１２（ａ）〜図１３（ｂ）では、第１表示面１４にプレビュー画像１０３が表示され、第２表示面２４にアルバム２０２のテンプレート２０６が表示されている。
【０１０３】
図１２（ａ）に示すように、カメラモジュール３０１で取り込まれた像に基づくプレビュー画像１０３が第１表示面１４に表示されている。また、アルバム２０２のテンプレート２０６が、メモリ３１０から読み出されて、第２表示面２４に表示されている。ユーザが第１表示面１４をタッチすると、撮影画像２０４の中心として設定される。
【０１０４】
図１２（ｂ）に示すように、ユーザが、第１表示面１４にタッチした指をリリースさせずに第２表示面２４の第４画像入力領域２１４までスライドさせる。これにより、第４画像入力領域２１４に対応するトリミング枠１０１が第１表示面１４のプレビュー画像１０３上に表示される。トリミング枠１０１の形およびサイズは第４画像入力領域２１４の形およびサイズと同じで、トリミング枠１０１の中心が第１表示面１４のタッチ位置に一致するように位置づけられる。
【０１０５】
ユーザは、トリミング枠１０１内のプレビュー画像１０３を見て、他の画像入力領域２１０に対応するトリミング枠１０１を表示したい場合、指を第２表示面２４からリリースさせずに他の画像入力領域２１０に移動させる。
【０１０６】
図１３（ａ）に示すように、ユーザの指が第５画像入力領域２１５に達すると、第１表示面１４に第５画像入力領域２１５に対応するトリミング枠１０１が表示される。なお、第１表示面１４のタッチ位置にトリミング枠１０１の中心が合わせられると、トリミング枠１０１が第１表示面１４の表示範囲外となるため、第１表示面１４に表示されているトリミング枠１０１の形は第５画像入力領域２１５の形に一致しない。
【０１０７】
図１３（ｂ）に示すように、第５画像入力領域２１５から指がリリースされると、ＣＰＵ３００により、撮影操作がなされたと判断される（図５のステップＳ１０９）。これにより、第５画像入力領域２１５に対応するトリミング枠１０１のサイズおよび位置に基づいて、第１ＶＲＡＭ３１１からトリミング枠１０１内の画像データが抽出され、撮影画像２０４が取得される。撮影画像２０４が第５画像入力領域２１５に配置されるように、画像データとテンプレート２０６のデータとが合成される。合成データは第２ＶＲＡＭ３１
２に蓄積されて、撮影画像２０４が第５画像入力領域２１５に貼り付けられた電子文書が第２表示面２４に表示される。また、合成データがメモリ３１０に保存され、撮影画像２０４が第５画像入力領域２１５に貼り付けられた電子文書が作成される。
【０１０８】
以上、本実施例によれば、第１表示面１４におけるタッチ位置がトリミング枠１０１の中心に設定されるため、ユーザは撮影画像２０４の中心を自由に定めることができる。
【０１０９】
また、本実施例によれば、ユーザがタッチした画像入力領域２１０に合わせたトリミング枠１０１が表示されるため、ユーザは、被写体とトリミング枠１０１とのバランスを考えて、撮影画像２０４を貼り付ける画像入力領域２１０を選択することができる。
【０１１０】
さらに、本実施例によれば、ユーザは撮影操作するだけで電子文書を簡単に作成することができる。
【０１１１】
＜実施例５＞
実施例４では、第１表示面１４にタッチした指が第２表示面２４の画像入力領域２１０までスライドされると、撮影操作がなされた。これに対し、実施例５では、第２表示面２４の画像入力領域２１０にタッチした指が第１表示面１４までスライドされると、撮影操作がなされる。
【０１１２】
このため、第１タッチセンサ１３により第１表示面１４に対する入力が検出されてから、第２タッチセンサ２３により画像入力領域２１０を選択する入力が検出されると、ＣＰＵ３００は、撮影画像を取得する。そして、ＣＰＵ３００は、第１表示面１４に対する入力の位置に対応する撮影画像の位置が画像入力領域２１０の中心になり、かつ撮影画像のうち選択された画像入力領域２１０内に収まる撮影画像２０４を抽出する。これにより、撮影画像２０４が画像入力領域２１０に合成された電子文書２０２が生成される。
【０１１３】
図１４（ａ）〜図１５（ｂ）は、アルバム２０２の作成を説明するための図である。図１４（ａ）〜図１５（ｂ）では、第１表示面１４にプレビュー画像１０３が表示され、第２表示面２４にアルバム２０２のテンプレート２０６が表示されている。
【０１１４】
図１４（ａ）に示すように、カメラモジュール３０１で取り込まれた像に基づくプレビュー画像１０３が第１表示面１４に表示され、アルバム２０２のテンプレート２０６が第２表示面２４に表示されている。ここで、ユーザが、第５画像入力領域２１５を指でタッチすると、第５画像入力領域２１５のサイズが求められ、第５画像入力領域２１５のサイズに応じたサイズのトリミング枠１０１が設定される。ここでは、トリミング枠１０１の形およびサイズが第５画像入力領域２１５の形およびサイズと等しく設定される。
【０１１５】
図１４（ｂ）に示すように、ユーザが、第２表示面２４にタッチした指をリリースさせずに第１表示面１４にスライドさせると、第５画像入力領域２１５に対応するトリミング枠１０１が第１表示面１４のプレビュー画像１０３上に表示される。
【０１１６】
図１５（ａ）に示すように、このトリミング枠１０１は第１表示面１４においてタッチ位置に伴って移動する。このため、ユーザは、トリミング枠１０１の中に被写体が納まるように、タッチ位置を調整する。なお、このトリミング枠１０１の配置では、トリミング枠１０１が第１表示面１４の表示範囲からはみ出るため、第１表示面１４に表示されているトリミング枠１０１の形は第５画像入力領域２１５の形に一致しない。
【０１１７】
図１５（ｂ）に示すように、第１表示面１４から指がリリースされると、ＣＰＵ３００により、撮影操作がなされたと判断される（図５のステップＳ１０９）。これにより、第
５画像入力領域２１５に対応するトリミング枠１０１のサイズおよび位置に基づいて、第１ＶＲＡＭ３１１からトリミング枠１０１内の画像データが抽出され、撮影画像２０４が取得される。撮影画像２０４が第５画像入力領域２１５に配置されるように、画像データとテンプレート２０６のデータとが合成される。合成データは第２ＶＲＡＭ３１２に蓄積されて、撮影画像２０４が第５画像入力領域２１５に貼り付けられた電子文書が第２表示面２４に表示される。また、合成データがメモリ３１０に保存され、撮影画像２０４が第５画像入力領域２１５に貼り付けられた電子文書が作成される。
【０１１８】
以上、本実施例によれば、ユーザのタッチ位置に応じてトリミング枠１０１が移動するため、ユーザは、被写体に合わせてトリミング枠１０１の位置を定めることができる。
【０１１９】
また、本実施例によれば、ユーザは撮影操作するだけで電子文書を簡単に作成することができる。
【０１２０】
＜その他＞
上記実施例１および２では、トリミング枠１０１のサイズが画像入力領域２１０のサイズより大きく設定されたが、これに限定されない。たとえば、トリミング枠１０１のサイズが画像入力領域２１０のサイズと同じまたは小さく設定されてもよい。
【０１２１】
一方、上記実施例３〜５では、トリミング枠１０１のサイズは選択された画像入力領域２１０と同じサイズに設定されたが、これに限定されない。トリミング枠１０１のサイズが、選択された画像入力領域２１０と同じまたは大きく設定されてもよい。
【０１２２】
さらに、上記実施例１および２では、第１表示面１４全体にプレビュー画像１０３が表示され、プレビュー画像１０３上にトリミング枠１０１が表示された。これに対し、上記実施例３〜５と同様に、トリミング枠１０１内の範囲にプレビュー画像１０３が表示され、トリミング枠１０１の周りは黒くなるように表示されてもよい。
【０１２３】
一方、上記実施例３〜５では、トリミング枠１０１内の範囲にプレビュー画像１０３が表示され、トリミング枠１０１の周りは黒くなるように画像処理された。これに対し、実施例１および２と同様に、第１表示面１４全体にプレビュー画像１０３が表示され、プレビュー画像１０３上にトリミング枠１０１が表示されてもよい。
【０１２４】
また、上記実施例１〜３では、トリミング枠１０１の中心が第１表示面１４の中心に配置されたが、トリミング枠１０１は所定または任意に配置されてもよい。
【０１２５】
さらに、上記実施例１および２では、プレビュー画像１０３上に表示されたシャッターボタン１０２により撮影操作がなされたが、シャッターボタン１０２はこれに限定されない。たとえば、キー群２６、１６などのハードキーのいずれかがシャッターボタン１０２と設定されてもよい。
【０１２６】
また、上記実施例１および２では、シャッターボタン１０２が第１表示面１４に表示されたが、第２表示面２４に表示されてもよい。
【０１２７】
また、上記実施例１および２では、第１ＶＲＡＭ３１１から抽出された画像データとテンプレート２０５のデータとが合成され、合成データが第２ＶＲＡＭ３１２に格納されて、合成データに基づく電子文書が第２表示面２４に表示された。これに対し、第２ＶＲＡＭ３１２に格納されているテンプレート２０５のデータの中で、画像入力領域２１０の範囲に撮影画像２０４の画像データが補完されてもよい。
【０１２８】
さらに、上記全実施例では、撮影操作により画像入力領域２１０に撮影画像２０４が取り込まれた電子文書２０１、２０２が自動的にメモリに保存された。これに対して、各表示面１４、２４上に電子文書２０１、２０２を保存するためのソフトボタンが表示されてもよい、または、キー群１６、２６に電子文書２０１、２０２を保存するための機能が割り当てられてもよい。これらのボタンやキー群１６、２６が操作されることにより、電子文書２０１、２０２がメモリに保存される。このとき、保存される電子文書２０１、２０２に名前を付ける事ができるようにしてもよい。また、保存する前に電子文書２０１、２０２を削除できるようにしてもよい。
【０１２９】
また、上記実施例３および４では、タッチされた画像入力領域２１０からユーザの指がリリースされると、撮影操作がなされた。これに対して、画像入力領域２１０がタッチされたときに、撮影操作がなされてもよい。
【０１３０】
また、上記実施例３〜５では、各画像入力領域２１０に撮影画像２０４が貼り付けられるたびに、アルバム２０２が作成されたが、これに限定されない。たとえば、全ての画像入力領域２１０にそれぞれ撮影画像２０４が貼り付けられた段階で、アルバム２０２が作成されてもよい。
【０１３１】
さらに、上記実施例３〜５では、各画像入力領域２１０に撮影画像２０４が貼り付けられるたびに、アルバム２０２のデータが上書きされたが、それぞれ別のアルバム２０２として名前が付けられて保存されてもよい。
【０１３２】
また、上記実施例４では、第１表示面１４にタッチした指が第４画像入力領域２１４までスライドされると、トリミング枠１０１が第１表示面１４に表示された。これに対して、第１表示面１４にタッチした指が第４画像入力領域２１４までスライドされると、トリミング枠１０１が表示されずに、撮影画像２０４が第４画像入力領域２１４に貼り付けられてもよい。
【０１３３】
また、上記全実施例では、第１表示面１４にプレビュー画像１０３が表示され、第２表示面２４にテンプレートや電子文書が表示された。これに反対に、第２表示面２４にプレビュー画像が表示され、第１表示面１４にテンプレートや電子文書が表示されてもよい。
【０１３４】
さらに、上記実施例では、携帯電話機１を用いたが、ＰＤＡやタブレットＰＣ、電子書籍端末、携帯ゲーム機などの携帯端末装置を用いることもできる。
【０１３５】
また、上記全実施例において、第１表示面１４に表示されたトリミング枠１０１のサイズがユーザによる拡大あるいは縮小操作（ピンチイン、ピンチアウト）などにより変更されてもよい。これにより、画像入力領域２１０に納まる撮影画像２０４の大きさを任意に変えることができる。
【０１３６】
さらに、上記全実施例において、図７（ａ）に示すように、名刺のテンプレート２０５が表示された第２表示面２４上でユーザが指を左右のいずれかの方向にスライドする。これにより、図６に示すように、名刺のテンプレート２０５に代えてテンプレートのメニュー画面が第２表示面２４に表示されてもよい。このような操作によりユーザはテンプレートを直感的に選択することができる。
【０１３７】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１３８】
１  携帯電話機  （携帯端末装置）
１２  第１ディスプレイ（第１表示部、第２表示部）
１３  第１タッチセンサ  （検出部、第１入力検出部、第２入力検出部）
１６  キー群  （検出部）
２２  第２ディスプレイ（第１表示部、第２表示部）
２３  第２タッチセンサ  （検出部、第１入力検出部、第２入力検出部）
２６  キー群  （検出部）
３００  ＣＰＵ  （制御部）
３０１  カメラモジュール  （撮像部）
３１０  メモリ  （記憶部）
【図１】
0005749115.tif 000002
【図２】
0005749115.tif 000003
【図３】
0005749115.tif 000004
【図４】
0005749115.tif 000005
【図５】
0005749115.tif 000006
【図６】
0005749115.tif 000007
【図７】
0005749115.tif 000008
【図８】
0005749115.tif 000009
【図９】
0005749115.tif 000010
【図１０】
0005749115.tif 000011
【図１１】
0005749115.tif 000012
【図１２】
0005749115.tif 000013
【図１３】
0005749115.tif 000014
【図１４】
0005749115.tif 000015
【図１５】
0005749115.tif 000016